(57)【要約】着信による通話開始時に、発信者の個人情報の表示を行う通信端末において、登録された個人の個人情報と個人の声紋情報とを対応づけて記憶するデータベースとしてのＦＬＡＳＨ−ＲＯＭ１０と、着信による通話開始時に発信者の音声から発信者の声紋情報を抽出する声紋分析部６と、発信者の声紋情報とデータベース内の声紋情報とを比較することによりデータベース内の個人の中から発信者を特定するＭＰＵ７と、特定された発信者の個人情報を表示する表示部としてのＬＣＤ１７とを備えた。
2004039044.tif 000002
【特許請求の範囲】
【請求項１】
個人の個人情報と前記個人の声紋情報とを対応づけて記憶するデータベースと、
着信による通話開始時に発信者の音声から前記発信者の声紋情報を抽出する声紋分析部と、
前記発信者の声紋情報と前記データベース内の声紋情報とを比較することにより前記発信者についての前記データベース内の個人情報を特定する演算部と、
特定された前記発信者の個人情報を表示する表示部と、
を備えてなる通信端末。
【請求項２】
請求の範囲第１項に記載の通信端末において、
前記発信者の個人情報を入力するための入力部を備え、
前記発信者の声紋情報と前記入力部から得られた前記発信者の個人情報とからなる組を前記データベースへ登録することができる通信端末。
【請求項３】
通信回線を介して通信端末と接続されることができる声紋情報検索サーバであって、
個人の個人情報と前記個人の声紋情報とを対応づけて記憶するデータベースと、
前記通信端末から声紋情報を含む情報を受信する受信部と、
該受信部が受信した声紋情報と前記データベース内の声紋情報とを比較することにより、前記データベース内の個人情報を特定する演算部と、
特定された前記データベース内の個人情報を前記通信端末へ送信する送信部と、
を備えてなる声紋情報検索サーバ。
【請求項４】
通信回線を介して請求の範囲第３項に記載の声紋情報検索サーバと接続されることができる通信端末であって、
着信による通話開始時に発信者の音声から前記発信者の声紋情報を抽出する声紋分析部と、
前記発信者の声紋情報を前記声紋情報検索サーバへ送信する送信部と、
前記発信者の個人情報を前記声紋情報検索サーバから受信する受信部と、
該受信部から得られる前記発信者の個人情報を表示する表示部と、
を備えてなる通信端末。
【請求項５】
請求の範囲第４項に記載の通信端末において、
発信者の個人情報を入力するための入力部を備え、
前記発信者の声紋情報と前記入力部から得られた前記発信者の個人情報とからなる組を前記声紋情報検索サーバのデータベースへ登録することができる通信端末。
【請求項６】
請求の範囲第３項に記載の声紋情報検索サーバと、請求の範囲第４項に記載の通信端末とを備えてなる個人情報表示システム。
【請求項７】
通信回線を介して通信端末と接続されることができる声紋情報検索サーバであって、
個人の個人情報と前記個人の声紋情報とを対応づけて記憶するデータベースと、
通信端末から音声を含む情報を受信する受信部と、
該受信部が受信した音声から声紋情報を抽出する声紋分析部と、
該声紋分析部が抽出した声紋情報と前記データベース内の声紋情報とを比較することにより前記データベース内の個人情報を特定する演算部と、
特定された前記データベース内の個人情報を前記通信端末へ送信する送信部と、
を備えてなる声紋情報検索サーバ。
【請求項８】
通信回線を介して請求の範囲第７項に記載の声紋情報検索サーバと接続されることができる通信端末であって、
着信による通話開始時に発信者の音声を前記声紋情報検索サーバへ転送する送信部と、
前記声紋情報検索サーバから前記発信者の個人情報を受信する受信部と、
該受信部から得られる前記発信者の個人情報を表示する表示部と、
を備えてなる通信端末。
【請求項９】
請求の範囲第８項に記載の通信端末において、
発信者の個人情報を入力するための入力部を備え、
前記発信者の声紋情報と前記入力部から得られた前記発信者の個人情報とからなる組を前記声紋情報検索サーバのデータベースへ登録することができる通信端末。
【請求項１０】
請求の範囲第７項に記載の声紋情報検索サーバと、請求の範囲第８項に記載の通信端末とを備えてなる個人情報表示システム。
【請求項１１】
着信による通話開始時に、発信者の個人情報の表示を行う通信端末における個人情報表示方法であって、
個人の個人情報と前記個人の声紋情報を対応づけデータベースとして記憶するステップと、
前記発信者の音声から前記発信者の声紋情報を抽出するステップと、
前記発信者の声紋情報と前記データベース内の声紋情報とを比較することにより前記発信者についての前記データベース内の個人情報を特定するステップと、
特定された前記発信者の個人情報を表示するステップと、
を備えてなる通信端末における個人情報表示方法。
【請求項１２】
着信による通話開始時に、発信者の個人情報の表示をコンピュータに実行させるために、コンピュータにより読取可能な媒体に記憶された個人情報表示プログラムであって、
個人の個人情報と前記個人の声紋情報を対応づけデータベースとして記憶するステップと、
前記発信者の音声から前記発信者の声紋情報を抽出するステップと、
前記発信者の声紋情報と前記データベース内の声紋情報とを比較することにより前記発信者についての前記データベース内の個人情報を特定するステップと、
特定された前記発信者の個人情報を表示するステップと、
をコンピュータに実行させる個人情報表示プログラム。
【発明の詳細な説明】
【技術分野】  本発明は、着信による通話開始時に発信者の声紋を用いて個人を特定し、その個人情報を画面に表示する通信端末、声紋情報検索サーバ、通信端末における個人情報表示方法、個人情報表示プログラムに関するものである。なお、通信端末には携帯電話機のような携帯端末も含まれる。
【背景技術】  従来、通信端末を用いた通話等において、発信先の通信端末のユーザが発信元の通信端末のユーザ（発信者）を知るためには、通話開始時に発信者の名前を聞いたり、あるいは発信者の声から判断する必要がある。また、着信時に発信元の電話番号または名前を表示する機能を有する通信端末を用いて通話を行う場合は、ユーザは表示される電話番号または名前を視認することにより、発信元を認識することができる。この発信者の名前の表示は、例えば特開２００１−２１８２６７号に知られており、携帯電話より発信される電波を送受信機にて受信し、その電波に含まれる携帯電話の電話番号を個人認証判定部にて個人認証データベースを用いて照合することにより行っている。
しかしながら、このような従来の技術においては、発信元の電話番号または名前を表示する通信端末を用いても、発信元の電話番号が複数の人に使われているような場合、例えば発信元の電話番号が企業や団体の電話番号である場合は、発信者個人を特定することができないという問題がある。また、発信元の通信端末を持ち主以外の個人が使用した場合は、発信元をその通信端末の持ち主と間違えてしまうという問題がある。
本発明は、このような問題を解決するためになされたものであり、着信による通話開始時に発信者の声紋を用いて発信者個人を特定し、発信者の個人情報を画面に表示できる通信端末、声紋情報検索サーバ、通信端末における個人情報表示方法、個人情報表示プログラムを提供することを目的とする。
【発明の開示】
本発明の通信端末は、例えば登録された個人の個人情報と前記個人の声紋情報とを対応づけて記憶するデータベースと、着信による通話開始時に発信者の音声から前記発信者の声紋情報を抽出する声紋分析部と、前記発信者の声紋情報と前記データベース内の声紋情報とを比較することにより前記発信者についての前記データベース内の個人情報を特定する演算部と、特定された前記発信者の個人情報を表示する表示部とを備えてなるものである。
このような構成によれば、着信による通話開始時に、例えばユーザは表示部に表示される個人情報を視認等することにより発信者を特定することができる。なお、表示部は音声表示するものであっても良い。ここで、実施の形態１におけるデータベースとはＦＬＡＳＨ−ＲＯＭ１０のことであり、声紋分析部とは声紋分析部６のことであり、演算部とはＭＰＵ７のことであり、表示部とはＬＣＤ１７のことである。
また、本発明に係る通信端末においては、例えばユーザが前記発信者の個人情報を入力するための入力部を備え、前記声紋分析部から得られた前記発信者の声紋情報が前記データベースに登録されていない場合に、前記発信者の声紋情報と前記入力部から得られた前記発信者の個人情報とからなる組を前記データベースへ登録することを特徴とするものである。
このような構成によれば、通信端末内のデータベースに発信者の声紋情報が保存されていない場合、ユーザは入力部を用いて発信者の個人情報を入力し、通信端末内のデータベースに発信者の声紋情報と個人情報をリンクさせて保存することができる。なお、実施の形態１における入力部とはキーパッド１８のことである。
また、本発明は、通信回線を介して通信端末と接続されることができる声紋情報検索サーバであって、例えば登録された個人の個人情報と前記個人の声紋情報とを対応づけて記憶するデータベースと、前記通信端末から声紋情報を含む情報を受信する受信部と、該受信部が受信した声紋情報と前記データベース内の声紋情報とを比較することにより、前記データベース内の個人情報（前記受信された声紋情報を持つ話者）を特定する演算部と、特定された前記データベース内の個人情報を前記通信端末へ送信する送信部とを備えてなるものである。
また、本発明は、通信回線を介して前記声紋情報検索サーバと接続されることができる通信端末であって、着信による通話開始時に発信者の音声から前記発信者の声紋情報を抽出する声紋分析部と、前記発信者の声紋情報を前記声紋情報検索サーバへ送信する送信部と、前記発信者の個人情報を前記声紋情報検索サーバから受信する受信部と、該受信部から得られる前記発信者の個人情報を表示する表示部とを備えてなるものである。
このような構成によれば、着信による通話開始時に、ユーザは表示部に表示される個人情報を視認等することにより発信者を特定することができる。また、声紋情報検索サーバが一括してデータベースを持ち、通信端末が個々にデータベースを持つ必要がないことから、通信端末の回路規模を低減することができる。なお、実施の形態２における声紋情報検索サーバとはサーバ４０のことであり、通信端末とは通信端末１Ａのことであり、データベースとは記憶部４４のことであり、送信部と受信部とは信号処理部４１のことであり、演算部とは制御部４３のことであり、声紋分析部とは声紋分析部６のことであり、送信部と受信部とは信号処理部３のことであり、表示部とはＬＣＤ１７のことである。
また、本発明に係る通信端末においては、発信者の個人情報を入力するための入力部を備え、例えば前記発信者の個人情報が前記声紋情報検索サーバから受信されない場合に、前記発信者の声紋情報と前記入力部から得られた前記発信者の個人情報とからなる組を前記声紋情報検索サーバのデータベースへ登録することを特徴とするものである。
このような構成によれば、声紋情報検索サーバ内のデータベースに発信者の声紋情報が保存されていない場合、ユーザは入力部を用いて個人情報を入力し、声紋情報検索サーバ内のデータベースに発信者の声紋情報と個人情報をリンクさせて保存することができる。なお、実施の形態２における入力部とはキーパッド１８のことである。また、本発明によれば、これら声紋情報検索サーバと通信端末とから個人情報表示システムが構成される。
また、本発明は、通信回線を介して通信端末と接続されることができる声紋情報検索サーバであって、例えば登録された個人の個人情報と前記個人の声紋情報とを対応づけて記憶するデータベースと、通信端末から音声を含む情報を受信する受信部と、該受信部が受信した音声から声紋情報を抽出する声紋分析部と、該声紋分析部が抽出した声紋情報と前記データベース内の声紋情報とを比較することにより前記データベース内の個人情報を特定する演算部と、前記特定された前記データベース内の個人情報を前記通信端末へ送信する送信部とを備えてなるものである。
また、本発明は、通信回線を介して前記声紋情報検索サーバと接続されることができる通信端末であって、着信による通話開始時に発信者の音声を前記声紋情報検索サーバへ転送する送信部と、前記声紋情報検索サーバから前記発信者の個人情報を受信する受信部と、該受信部から得られる前記発信者の個人情報を表示する表示部とを備えてなるものである。
このような構成によれば、着信による通話開始時に、ユーザは表示部に表示される個人情報を視認等することにより発信者を特定することができる。また、通信端末に比べて演算性能の高い声紋情報検索サーバが声紋分析や比較を行うことにより、高速に個人を特定することができるとともに、通信端末が個々に声紋分析部やデータベースを持つ必要がないことから、通信端末の回路規模を低減することができる。なお、実施の形態３における声紋情報検索サーバとはサーバ６０のことであり、通信端末とは通信端末５０のことであり、データベースとは記憶部６５のことであり、声紋分析とは声紋分析部６４のことであり、送信部と受信部とは信号処理部６１のことであり、演算部とは制御部６３のことであり、送信部と受信部とは信号処理部３のことであり、表示部とはＬＣＤ１７のことである。
また、本発明に係る通信端末においては、発信者の個人情報を入力するための入力部を備え、例えば前記発信者の個人情報が前記声紋情報検索サーバから受信されない場合に、前記発信者の声紋情報と前記入力部から得られた前記発信者の個人情報とからなる組を前記声紋情報検索サーバのデータベースへ登録することを特徴とするものである。
このような構成によれば、声紋情報検索サーバ内のデータベースに発信者の声紋情報が保存されていない場合、ユーザは入力部を用いて個人情報を入力し、声紋情報検索サーバ内のデータベースに発信者の声紋情報と個人情報をリンクさせて保存することができる。なお、実施の形態３における入力部とはキーパッド１８のことである。また、本発明によれば、これら声紋情報検索サーバと通信端末により個人情報表示システムが構成される。
また、本発明は、着信による通話開始時に、発信者の個人情報の表示を行う通信端末における個人情報表示方法であって、例えば登録された個人の個人情報と前記個人の声紋情報を対応づけデータベースとして記憶するステップと、前記発信者の音声から前記発信者の声紋情報を抽出するステップと、前記発信者の声紋情報と前記データベース内の声紋情報とを比較することにより前記発信者についての前記データベース内の個人情報を特定するステップと、特定された前記発信者の個人情報を表示するステップとを備えてなる通信端末における個人情報表示方法を提供するものである。
また、本発明は、着信による通話開始時に、発信者の個人情報の表示をコンピュータに実行させるために、コンピュータにより読取可能な媒体に記憶された個人情報表示プログラムであって、例えば登録された個人の個人情報と前記個人の声紋情報を対応づけデータベースとして記憶するステップと、前記発信者の音声から前記発信者の声紋情報を抽出するステップと、前記発信者の声紋情報と前記データベース内の声紋情報とを比較することにより前記発信者についての前記データベース内の個人情報を特定するステップと、特定された前記発信者の個人情報を表示するステップとをコンピュータに実行させる個人情報表示プログラムを提供するものである。なお、このプログラムは、コンピュータにより読み取り可能な記憶媒体に記憶されることができ、記憶媒体としては、ＲＯＭ、ＲＡＭ等の半導体メモリ、ＣＤ−ＲＯＭやフレキシブルディスク、ＤＶＤディスク、光磁気ディスク、ＩＣカード等の可搬型記憶媒体や、コンピュータプログラムを保持するデータベース等がある。
【図面の簡単な説明】  第１図は、本発明の実施の形態１に係る通信端末の構成の一例を示すブロック図である。
第２図は、本発明の実施の形態１に係る通信端末の発信者特定の動作の一例を示すフローチャートである。
第３図は、通信端末とサーバを備えた通信システムの構成の一例を示すブロック図である。
第４図は、本発明の実施の形態２に係るサーバの構成の一例を示すブロック図である。
第５図は、本発明の実施の形態２に係る通信端末の発信者特定の動作の一例を示すフローチャートである。
第６図は、本発明の実施の形態２に係るサーバの発信者特定の動作の一例を示すフローチャートである。
第７図は、本発明の実施の形態３に係る通信端末の構成の一例を示すブロック図である。
第８図は、本発明の実施の形態３に係るサーバの構成の一例を示すブロック図である。
第９図は、本発明の実施の形態３に係る通信端末の発信者特定の動作の一例を示すフローチャートである。
第１０図は、本発明の実施の形態３に係るサーバの発信者特定の動作の一例を示すフローチャートである。
【発明を実施するための最良の形態】  以下、本発明の実施の形態について図面を参照して詳細に説明する。なお、本発明の実施の形態では、通信端末のうち無線通信を行う通信端末を例に挙げて説明する。
実施の形態１．
本実施の形態では、通信端末の着信における発信者特定において、通信端末が声紋分析を行い、声紋情報の検索を行い、個人情報の表示を行う例について説明する。
まず、通信端末の構成と動作について説明する。第１図は、本発明の実施の形態１に係る通信端末の構成の一例を示すブロック図である。第１図に示すように、この通信端末１は、送受信アンテナ２と信号処理部３とデータ処理部４と音声処理部５と声紋分析部６とＭＰＵ（Ｍｉｃｒｏｐｒｏｃｅｓｓｉｎｇ  Ｕｎｉｔ）７とＲＡＭ（Ｒａｎｄｏｍ  Ａｃｃｅｓｓ  Ｍｅｍｏｒｙ）８とＲＯＭ（Ｒｅａｄ  Ｏｎｌｙ  Ｍｅｍｏｒｙ）９とＦＬＡＳＨ−ＲＯＭ１０と音源ＬＳＩ（Ｌａｒｇｅ  Ｓｃａｌｅ  Ｉｎｔｅｇｒａｔｅｄ  Ｃｉｒｃｕｉｔ）１１とマイク１２とスピーカ１３と外部入出力部１４とバイブレータ１５とＬＥＤ（Ｌｉｇｈｔ  Ｅｍｉｔｔｉｎｇ  Ｄｉｏｄｅ）１６とＬＣＤ（Ｌｉｑｕｉｄ  Ｃｒｙｓｔａｌ  Ｄｉｓｐｌａｙ）１７とキーパッド１８から構成される。
ＭＰＵ７は、信号処理部３とデータ処理部４と音声処理部５と声紋分析部６とＲＡＭ８とＲＯＭ９とＦＬＡＳＨ−ＲＯＭ１０と音源ＬＳＩ１１と外部入出力部１４とバイブレータ１５とＬＥＤ１６とＬＣＤ１７とキーパッド１８と接続されており、それぞれの制御を行う。
送信動作において、信号処理部３は、データ処理部４からの非音声データと音声処理部５からの音声データを合成し、送受信アンテナ２を介して外部へ送信する。また受信動作において、信号処理部３は、送受信アンテナ２を介して受信した信号が音声以外の非音声データであればデータ処理部４へ出力し、音声データであれば音声処理部５へ出力する。
非音声データは、データ処理部４を介して文字や画像としてＬＣＤ１７へ出力される。音声処理部５は、スピーカ１３を介して音声データを音声として外部へ出力すると共に、声紋分析に必要な音声データを声紋分析部６へ出力する。また、音声処理部５は、マイク１２を介して外部から受信した音声を音声データとして信号処理部３へ出力する。
声紋分析部６は、例えば特許第３２８０８２５号公報に開示されたような処理を用いて、受信した音声データに対して声紋分析を行い、周波数ごとの時間分布、発声時間、ピッチ周波数等からなる声紋情報を算出し、ＲＡＭ８へ出力する。
ＲＯＭ９は、ＭＰＵ７のプログラム等を保存する。ＲＡＭ８は、ＭＰＵ７のプログラムの実行に必要な情報を保存する。また、ＲＡＭ８は、声紋情報を一時的に保存する。ＦＬＡＳＨ−ＲＯＭ１０は、声紋情報と個人情報をリンクさせたデータベースを保存する。ここで個人情報とは、例えば名前、年齢、性別、会社名、電話番号、管理番号等である。
音源ＬＳＩ１１は着信音等を生成する。外部入出力部１４は、外部のＰＣ等とケーブル等を介してデータの入出力を行う。バイブレータ１５は着信等に伴って振動を行う。ＬＥＤ１６は着信等に伴って発光を行う。ＬＣＤ１７は文字や画像の表示を行う。キーパッド１８は、ユーザからの個人情報等の入力を受け付ける。
次に、着信による通話開始時の発信者特定の動作について、第２図のフローチャートを用いて説明する。第２図は、実施の形態１に係る通信端末の発信者特定の動作の一例を示すフローチャートである。ある発信者から通信端末１へ着信があり、通話を開始すると（Ｓ１）、ＭＰＵ７は声紋分析部６において発信者の音声の声紋分析を行い（Ｓ２）、その結果を発信者の声紋情報としてＲＡＭ８へ保存する。
次に、ＭＰＵ７はＲＡＭ８に保存された発信者の声紋情報とＦＬＡＳＨ−ＲＯＭ１０のデータベース内の声紋情報を比較することにより発信者の声紋情報の検索を行い（Ｓ３）、発信者の声紋情報がデータベースに登録済みであるか否かの判断を行う（Ｓ４）。発信者の声紋情報がデータベースに登録済みである場合（Ｓ４，Ｙ）、ＭＰＵ７は発信者の声紋情報にリンクした個人情報をデータベースから読み出してＬＣＤ１７へ表示し（Ｓ５）、通信端末１のフローは終了する。
一方、発信者の声紋情報がデータベースに登録されていない場合（Ｓ４，Ｎ）、ＭＰＵ７は、「この発信者の声紋情報は登録されていません。登録しますか？」のような未登録メッセージをＬＣＤ１７へ表示する（Ｓ６）。この未登録メッセージを見たユーザは、キーパッド１８を用いて発信者の声紋情報を登録するか否かを入力する。
ユーザからの入力が、登録を希望している場合（Ｓ７，Ｙ）、ＭＰＵ７はユーザがキーパッド１８を用いて入力した発信者の個人情報を受け付け（Ｓ８）、発信者の声紋情報と発信者の個人情報をリンクさせ、ＦＬＡＳＨ−ＲＯＭ１０のデータベースへ保存し（Ｓ９）、通信端末１のフローは終了する。また、ユーザからの入力が、登録を希望していない場合（Ｓ７，Ｎ）、通信端末１のフローは終了する。
以上のような処理によれば、着信による通話開始時に、ユーザはＬＣＤ１７に表示される個人情報を視認して発信者を特定することができる。また、通信端末１内のデータベースに発信者の声紋情報が保存されていない場合、ユーザは発信者の個人情報を入力し、通信端末１内のデータベースに発信者の声紋情報と個人情報をリンクさせて保存することができる。
実施の形態２．
本実施の形態では、通信端末の着信における発信者特定において、通信端末が声紋分析を行い、外部のサーバが声紋情報の検索を行い、通信端末が個人情報の表示を行う例について説明する。
第３図は、通信端末とサーバを備えた通信システム（個人情報表示システム）の構成の一例を示すブロック図である。第３図に示すように、この通信システムは、通信端末１Ａと無線基地局２０とサーバ４０から構成される。通信端末１Ａと無線基地局２０は無線で通信を行い、無線基地局２０とサーバ４０は公衆網（通信回線）３０を介して通信を行う。
まず、通信端末１Ａの構成と動作について説明する。通信端末１Ａは第１図に示した通信端末１と同様の構成を持つが、ＦＬＡＳＨ−ＲＯＭ１０はデータベースを持たない。またＭＰＵ７は、声紋分析部６から出力される声紋情報とキーパッド１８から新規に入力された発信者の個人情報を信号処理部３からサーバ４０へ送信し、信号処理部３がサーバ４０から受信した発信者の個人情報をＬＣＤ１７へ表示する。
次に、サーバ４０の構成と動作について説明する。第４図は、本発明の実施の形態２に係るサーバの構成の一例を示すブロック図である。サーバ４０は、信号処理部４１とデータ処理部４２と制御部４３と記憶部４４から構成される。制御部４３は、信号処理部４１とデータ処理部４２と記憶部４４と接続されており、それぞれの制御を行う。送信動作において、信号処理部４１は、データ処理部４からのデータを通信端末１Ａへ送信する。また受信動作において、信号処理部４１は、通信端末１Ａから受信したデータをデータ処理部４２へ出力する。データ処理部４２は、データを記憶部４４へ出力する。記憶部４４は、制御部４３のプログラムやデータ処理部４２からのデータ等を保存する。また、記憶部４４は、声紋情報と個人情報をリンクさせたデータベースを保存する。
次に、着信による通話開始時の発信者特定の動作について、第５図と第６図のフローチャートを用いて説明する。第５図は、実施の形態２に係る通信端末の発信者特定の動作の一例を示すフローチャートである。第６図は、実施の形態２に係るサーバの発信者特定の動作の一例を示すフローチャートである。
通信端末１Ａにおいて、ある発信者から着信があり、通話を開始すると（Ｓ１１）、ＭＰＵ７は声紋分析部６において発信者の音声の声紋分析を行い（Ｓ１２）、その結果を発信者の声紋情報として、信号処理部３からサーバ４０へ送信する（Ｓ１３）。
サーバ４０において、信号処理部４１は通信端末１Ａから発信者の声紋情報を受信し（Ｓ２１）、制御部４３は発信者の声紋情報と記憶部４４のデータベース内の声紋情報を比較することにより発信者の声紋情報の検索を行い（Ｓ２２）、発信者の声紋情報がデータベースに登録済みであるか否かの判断を行う（Ｓ２３）。
サーバ４０において、発信者の声紋情報がデータベースに登録済みである場合（Ｓ２３，Ｙ）、制御部４３は発信者の声紋情報にリンクした個人情報をデータベースから読み出し、信号処理部４１から通信端末１Ａへ送信し（Ｓ２４）、サーバ４０のフローは終了する。
次に通信端末１Ａにおいて、信号処理部３がサーバ４０から個人情報を受信すると（Ｓ１４，Ｙ）、ＭＰＵ７は受信した個人情報をＬＣＤ１７へ表示し（Ｓ１５）、通信端末１Ａのフローは終了する。
サーバ４０において、発信者の声紋情報がデータベースに登録されていない場合（Ｓ２３，Ｎ）、制御部４３は未登録を示す信号を、信号処理部４１から通信端末１Ａへ送信する（Ｓ２５）。
次に通信端末１Ａにおいて、信号処理部３がサーバ４０から未登録を示す信号を受信すると（Ｓ１４，Ｎ）、ＭＰＵ７は「この発信者の声紋情報は登録されていません。登録しますか？」のような未登録メッセージをＬＣＤ１７へ表示する（Ｓ１６）。この未登録メッセージを見たユーザは、キーパッド１８を用いて声紋情報を登録するか否かを入力する。
次に通信端末１Ａにおいて、ユーザからの入力が、登録を希望している場合（Ｓ１７，Ｙ）、ＭＰＵ７はユーザがキーパッド１８を用いて入力した発信者の個人情報を受け付け（Ｓ１８）、発信者の個人情報を信号処理部３からサーバ４０へ送信し（Ｓ１９）、通信端末１Ａのフローは終了する。また、ユーザからの入力が、登録を希望していない場合（Ｓ１７，Ｎ）、通信端末１Ａのフローは終了する。
次にサーバ４０において、信号処理部４１が、ユーザにより入力された発信者の個人情報を通信端末１Ａから受信した場合（Ｓ２６，Ｙ）、制御部４３は発信者の声紋情報と発信者の個人情報をリンクさせ、記憶部４４のデータベースへ保存し（Ｓ２７）、サーバ４０のフローは終了する。また、信号処理部４１が、ユーザにより入力された発信者の個人情報を通信端末１Ａから受信しない場合（Ｓ２６，Ｎ）、サーバ４０のフローは終了する。
以上のような処理によれば、着信による通話開始時に、ユーザはＬＣＤ１７に表示される個人情報を視認して発信者を特定することができる。また、サーバ４０内のデータベースに発信者の声紋情報が保存されていない場合、ユーザは発信者の個人情報を入力して通信端末１Ａから送信し、サーバ４０内のデータベースに発信者の声紋情報と個人情報をリンクさせて保存することができる。本実施の形態では、サーバ４０が一括してデータベースを持ち、通信端末１Ａが個々にデータベースを持つ必要がないことから、通信端末１Ａの回路規模を低減することができる。
なお、本実施の形態では、通信端末１Ａはデータベースを持たないとしたが、通信端末１Ａにもデータベースを備え、通信端末１Ａ内のデータベースに発信者の声紋情報がなければサーバ４０内のデータベースを検索する構成としても良い。
実施の形態３．
本実施の形態では、通信端末の着信における発信者特定において、外部のサーバが声紋分析を行い、外部のサーバが声紋情報の検索を行い、通信端末が個人情報の表示を行う個人情報表示システムの例について説明する。
本実施の形態では、第３図と同様に通信端末とサーバを用いて発信者特定を行うが、通信端末１Ａの代わりに通信端末５０を備え、サーバ４０の代わりにサーバ６０を備える。
まず、通信端末５０の構成と動作について説明する。第７図は、本発明の実施の形態３に係る通信端末の構成の一例を示すブロック図である。第７図において、第１図と同一符号は第１図に示された対象と同一又は相当物を示しており、ここでの説明を省略する。本実施の形態における通信端末５０は、声紋分析部６を削除し、音声処理部５の代わりに音声処理部５５を備える。音声処理部５５は、音声データを音声としてスピーカ１３を介して外部へ出力すると共に、声紋分析に必要な音声データを信号処理部３へ出力する。また、音声処理部５５は、マイク１２を介して外部から受信した音声を音声データとして信号処理部３へ出力する。
またＦＬＡＳＨ−ＲＯＭ１０はデータベースを持たない。またＭＰＵ７は、音声処理部５５から出力される音声データとキーパッド１８から新規に入力された発信者の個人情報を信号処理部３からサーバ６０へ送信し、信号処理部３がサーバ６０から受信した発信者の個人情報をＬＣＤ１７へ表示する。
次に、サーバ６０の構成と動作について説明する。第８図は、本発明の実施の形態３に係るサーバの構成の一例を示すブロック図である。第８図において、第８図と同一符号は第８図に示された対象と同一又は相当物を示しており、ここでの説明を省略する。本実施の形態におけるサーバ６０は、信号処理部４１の代わりに信号処理部６１を備え、制御部４３の代わりに制御部６３を備え、記憶部４４の代わりに記憶部６５を備え、さらに音声処理部６２と声紋分析部６４を備える。
制御部６３は、信号処理部６１とデータ処理部４２と音声処理部６２と声紋分析部６４と記憶部６５と接続されており、それぞれの制御を行う。送信動作において、信号処理部６１は、データ処理部４２からの非音声データを、通信端末５０へ出力する。また受信動作において、信号処理部６１は、受信した信号が音声以外の非音声データであればデータ処理部４２へ出力し、音声データであれば音声処理部６２へ出力する。
音声処理部６２は、声紋分析に必要な音声データを声紋分析部６４へ出力する。声紋分析部６４は、第１図に示した声紋分析部６と同様に声紋情報を算出し、記憶部６５へ出力する。記憶部６５は、制御部６３のプログラムやデータ処理部４２からのデータ等を保存する。また、記憶部６５は、声紋情報と個人情報をリンクさせたデータベースを保存する。さらに、記憶部６５は、声紋分析部６４で分析された声紋情報を一時的に保存する。
次に、着信による通話開始時の発信者特定の動作について、第９図と第１０図のフローチャートを用いて説明する。第９図は、実施の形態３に係る通信端末の発信者特定の動作の一例を示すフローチャートである。第１０図は、実施の形態３に係るサーバの発信者特定の動作の一例を示すフローチャートである。
通信端末５０において、ある発信者から着信があり、通話を開始すると（Ｓ３１）、ＭＰＵ７は声紋分析に必要な発信者の音声を、信号処理部３からサーバ６０へ転送する（Ｓ３２）。
サーバ６０において、信号処理部６１は通信端末５０から転送された音声を受信し（Ｓ４１）、制御部６３は声紋分析部６４において発信者の音声の声紋分析を行い（Ｓ４２）、その結果得られた発信者の声紋情報と記憶部６５のデータベース内の声紋情報を比較することにより発信者の声紋情報の検索を行い（Ｓ４３）、発信者の声紋情報がデータベースに登録済みであるか否かの判断を行う（Ｓ４４）。
サーバ６０において、発信者の声紋情報がデータベースに登録済みである場合（Ｓ４４，Ｙ）、制御部６３は発信者の声紋情報にリンクした個人情報をデータベースから読み出し、信号処理部６１から通信端末５０へ送信し（Ｓ４５）、サーバ６０のフローは終了する。
次に通信端末５０において、信号処理部３がサーバ６０から個人情報を受信すると（Ｓ３３，Ｙ）、受信した個人情報をＬＣＤ１７へ表示し（Ｓ３４）、通信端末５０のフローは終了する。
サーバ６０において、発信者の声紋情報がデータベースに登録されていない場合（Ｓ４４，Ｎ）、制御部６３は未登録を示す信号を、信号処理部６１から通信端末５０へ送信する（Ｓ４６）。
次に通信端末５０において、信号処理部３がサーバ６０から未登録を示す信号を受信すると（Ｓ３３，Ｎ）、ＭＰＵ７は「この発信者の声紋情報は登録されていません。登録しますか？」のような未登録メッセージをＬＣＤ１７へ表示する（Ｓ３５）。この未登録メッセージを見たユーザは、キーパッド１８を用いて声紋情報を登録するか否かを入力する。
次に通信端末５０において、ユーザからの入力が、登録を希望している場合（Ｓ３６，Ｙ）、ＭＰＵ７はユーザがキーパッド１８を用いて入力した発信者の個人情報を受け付け（Ｓ３７）、発信者の個人情報を信号処理部３からサーバ６０へ送信し（Ｓ３８）、通信端末５０のフローは終了する。また、ユーザからの入力が、登録を希望していない場合（Ｓ３６，Ｎ）、通信端末５０のフローは終了する。
次にサーバ６０において、信号処理部６１が、ユーザにより入力された発信者の個人情報を通信端末５０から受信した場合（Ｓ４７，Ｙ）、制御部６３は発信者の声紋情報と発信者の個人情報をリンクさせ、記憶部６５のデータベースへ保存し（Ｓ４８）、サーバ６０のフローは終了する。また、信号処理部６１が、ユーザにより入力された発信者の個人情報を通信端末５０から受信しない場合（Ｓ４７，Ｎ）、サーバ６０のフローは終了する。
以上のような処理によれば、着信による通話開始時に、ユーザはＬＣＤ１７に表示される個人情報を視認して発信者を特定することができる。また、サーバ６０内のデータベースに発信者の声紋情報が保存されていない場合、ユーザは発信者の個人情報を入力して通信端末５０から送信し、サーバ６０内のデータベースに発信者の声紋情報と個人情報をリンクさせて保存することができる。本実施の形態では、通信端末５０に比べて演算性能の高いサーバ６０が声紋分析や比較を行うことにより、高速に個人を特定することができるとともに、通信端末５０が個々に声紋分析部やデータベースを持つ必要がないことから、通信端末５０の回路規模を低減することができる。
なお、実施の形態１から３において、無線通信を行う通信端末を例に挙げて説明したが、有線通信を行う通信端末にも本発明を適用することができる。また、表示部としてＬＣＤを用いた視覚的な表示について説明したが、音声表示等を行うようにすることも可能である。以上、実施の形態１から３を説明したが、上述した実施の形態において説明された通信端末やサーバの構成及び動作は、本発明を実現するための一例であり、その構成は本発明の趣旨を逸脱しない範囲内において特に限定されず、適宜応用可能であることは言うまでもない。
【産業上の利用の可能性】
以上説明したように本発明によれば、着信による通話開始時に、画面に表示された発信者の個人情報を視認することにより、ユーザは発信者個人を正確に特定することができるようになり、例えば発信者を勘違いして相手に迷惑をかけるようなことを避けることができる。
【図１】
2004039044.tif 000003
【図２】
2004039044.tif 000004
【図３】
2004039044.tif 000005
【図４】
2004039044.tif 000006
【図５】
2004039044.tif 000007
【図６】
2004039044.tif 000008
【図７】
2004039044.tif 000009
【図８】
2004039044.tif 000010
【図９】
2004039044.tif 000011
【図１０】
2004039044.tif 000012
【手続補正書】
【提出日】平成16年12月15日(2004.12.15)
【手続補正１】
【補正対象書類名】特許請求の範囲
【補正対象項目名】全文
【補正方法】変更
【補正の内容】
【特許請求の範囲】
【請求項１】
個人の個人情報と前記個人の声紋情報とを対応づけて記憶するデータベースと、
着信による通話開始時に発信者の音声から前記発信者の声紋情報を抽出する声紋分析部と、
前記発信者の声紋情報と前記データベース内の声紋情報とを比較することにより前記発信者についての前記データベース内の個人情報を特定する演算部と、
特定された前記発信者の個人情報を表示する表示部と、
を備えてなる通信端末。
【請求項２】
請求項１に記載の通信端末において、
前記発信者の個人情報を入力するための入力部を備え、
前記発信者の声紋情報と前記入力部から得られた前記発信者の個人情報とからなる組を前記データベースへ登録することができる通信端末。
【請求項３】
声紋情報検索サーバと通信端末とを備えてなる個人情報表示システムであって、
前記声紋情報検索サーバは、通信回線を介して前記通信端末と接続されることができ、個人の個人情報と前記個人の声紋情報とを対応づけて記憶するデータベースと、通信端末から音声を含む情報を受信する受信部と、該受信部が受信した音声から声紋情報を抽出する声紋分析部と、該声紋分析部が抽出した声紋情報と前記データベース内の声紋情報とを比較することにより前記データベース内の個人情報を特定する演算部と、特定された前記データベース内の個人情報を前記通信端末へ送信する送信部とを備え、
前記通信端末は、通信回線を介して前記声紋情報検索サーバと接続されることができ、着信による通話開始時に発信者の音声を前記声紋情報検索サーバへ転送する送信部と、前記声紋情報検索サーバから前記発信者の個人情報を受信する受信部と、該受信部から得られる前記発信者の個人情報を表示する表示部とを備えてなる、ことを特徴とする個人情報表示システム。
【請求項４】
着信による通話開始時に、発信者の個人情報の表示をコンピュータに実行させるために、コンピュータにより読取可能な媒体に記憶された個人情報表示プログラムであって、
個人の個人情報と前記個人の声紋情報を対応づけデータベースとして記憶するステップと、
前記発信者の音声から前記発信者の声紋情報を抽出するステップと、
前記発信者の声紋情報と前記データベース内の声紋情報とを比較することにより前記発信者についての前記データベース内の個人情報を特定するステップと、
特定された前記発信者の個人情報を表示するステップと、
をコンピュータに実行させる個人情報表示プログラム。
【国際調査報告】
2004039044.tif 000013
2004039044.tif 000014
2004039044.tif 000015
2004039044.tif 000016
2004039044.tif 000017
2004039044.tif 000018